(57)【要約】【課題】専用の電気配線工事が不要となり、既築現場に容易に取り付けできるイオン発生装置の提供。【解決手段】ケース２内に、流入口４ａと流出口４ｂを有する液体流路４と、吸気口５ａと排気口５ｂを有する気体流路５を備え、液体流路４内には、発電用の水車８を設けるとともに、気体流路５内には、イオン発生ユニット１６と送風用ファン９と制御基板１１を設けて、イオン発生装置Ｐを構成する。【選択図】　　　　　　　図２
2004014249.tif 000002
【特許請求の範囲】
【請求項１】
ケース内に、液体の流入口と流出口を有する液体流路と、気体の吸気口と排気口を有する気体流路を備え、前記液体流路内には、発電用の水車を設けるとともに、前記気体流路内には、イオン発生ユニットと、送風用ファンと、制御基板を設けたことを特徴とするイオン発生装置。
【請求項２】
前記水車の軸と前記送風用ファンの軸を同軸として、兼用させたことを特徴とする請求項１に記載のイオン発生装置。
【発明の詳細な説明】
【０００１】
【発明の属する技術分野】
この発明は、イオン発生装置に関するものである。
【０００２】
【従来の技術及び発明が解決しようとする課題】
近年、消臭効果やリフレッシュ効果のあるイオンを発生させることのできる装置が出現しているが、このようなイオン発生装置を、例えば、洗面台やキッチン，浴室内等へ設置しようとすると、専用の電気配線工事が必要となり、工事に時間と費用が掛かってしまい、設置が制限されてしまうという問題点があった。
【０００３】
【課題を解決するための手段】
本発明は、上記従来の問題点に鑑み案出したものであって、専用の電気配線工事が不要となり、容易に設置できるイオン発生装置を提供せんことを目的とし、その第１の要旨は、ケース内に、液体の流入口と流出口を有する液体流路と、気体の吸気口と排気口を有する気体流路を備え、前記液体流路内には、発電用の水車を設けるとともに、前記気体流路内には、イオン発生ユニットと、送風用ファンと制御基板を設けたことである。
また、第２の要旨は、前記水車の軸と前記送風用ファンの軸を同軸として、兼用させたことである。
【０００４】
【発明の実施の形態】
以下、本発明の実施例を図面に基づいて説明する。
図１は、洗面台，キッチンまたは浴室の水道配管１に、イオン発生装置Ｐを取付けた状態の概略構成図である。また、図２は、イオン発生装置Ｐの拡大内部構成図である。
本例のイオン発生装置Ｐは、水道配管１に容易に後付けできるように構成されており、図において、イオン発生装置Ｐを構成するケース２内には、仕切状に仕切壁３が設けられ、仕切壁３の図示左側には、水道水が流れる液体流路４が形成され、仕切壁３の図示右側には、空気が流れる気体流路５が形成されている。
液体流路４には、流入口４ａと流出口４ｂがケース２に開口されており、流入口４ａ側には接続ナット６が設けられ、また流出口４ｂ側には接続ナット７が設けられており、それぞれの接続ナット６，７を介し、既設の水道配管１の一部を切断等して後付けできるものである。
【０００５】
液体流路４内には、水車８が設けられており、液体流路４内を流れる水流により水車８が回転されるように構成されている。この水車８の軸８ａは、仕切壁３を貫通して気体流路５側に延出されており、気体流路５内に設けられたシロッコファン９に連結されている。即ち、この水車８の軸８ａはシロッコファン９の軸も兼用しており、軸８ａを介し水車８とシロッコファン９が直結された構造となっている。
なお、仕切壁３とシロッコファン９間の、軸８ａの外周には、ヨーク１０と制御基板１１が固定状に設けられている。
ヨーク１０は、軸８ａと共に回転する磁石と、その外周の発電コイルで構成されており、水車８が回転することにより、このヨーク１０で良好に発電できるものである。
【０００６】
また、制御基板１１は、図３の側面図で、また図４の正面図で示すように、円板状に形成されており、その中央部には、前記軸８ａが挿通される軸孔１１ａが形成され、軸孔１１ａの外側に、整流回路１３と、昇圧回路１４と、マイクロコンピュータ１２と、２次電池１５が設けられている。
整流回路１３と昇圧回路１４とマイクロコンピュータ１２は、電気的に接続されており、また昇圧回路１４と２次電池１５が電気的に接続されて、制御基板１１にコンパクトに一体化されている。
整流回路１３は、ヨーク１０で発電された電気を整流し、昇圧回路１４は、電圧をシロッコファン９や、イオン発生ユニット１６用に昇圧させるものであり、２次電池１５は、マイクロコンピュータ１２やイオン発生装置１６の電源となる電力を蓄電するものである。
【０００７】
ヨーク１０と制御基板１１は、気体流路５内のシロッコファン９の外周に配置されたイオン発生ユニット１６に電気的に接続されており、このイオン発生ユニット１６内では、一種の放電によりマイナスイオンとプラスイオンを発生させることができるものであり、シロッコファン９の回転により、気体流路５内に吸気口５ａから空気が吸い込まれ、吸い込まれた空気は、イオン発生ユニット１６から発生するイオンによりイオン化され、イオン化された空気流が排気口５ｂから外部に排出されるように構成されている。
【０００８】
なお、マイクロコンピュータ１２は、イオン発生ユニット１６をオンオフ制御して、イオン発生ユニット１６から発生されるイオン濃度を良好に制御できるように構成されている。
このイオン発生ユニット１６で発生されるイオンは、空中の塵や細かい細菌，カビ菌等をイオン化して沈降させることができ、浮遊カビ菌を減少させたり、また悪臭を減じる効果があり、森林浴の雰囲気を良好に醸し出すことができるものであり、例えば洗面台やキッチンのキャビネット内に、イオン発生装置Ｐが設置された場合には、内部の悪臭を減じてカビ菌等の発生を防ぐことができるものとなり、また浴室内に設けられた場合には、浴室内にリフレッシュ効果のある空気を噴出させて、浴室内をリラックスできる雰囲気に演出できるものである。
【０００９】
なお、本例では、イオン発生ユニット１６及びシロッコファン９を駆動させるための電源は、水車８の回転によりヨーク１０で生成されるものであるため、電気配線工事は不要となり、イオン発生装置Ｐを既存の水道配管の一部に良好に後付けして設置することができ、既築現場に対する施工負荷が極めて小さいものとなり、設置作業が容易なものとなる。
また本例では、水車８の軸８ａがシロッコファン９の軸も兼用している構成であり、水車８の回転を機械的に直接シロッコファン９に伝えることができ、水車８の回転により得られた電気でシロッコファン９を駆動させるよりも伝達効率が良いものとなる。
また更には、本例では、制御基板１１は円盤状に形成して、軸８ａの外周にコンパクトに設けることができ、イオン発生装置Ｐを極めて小型化することができるものとなる。
【００１０】
【発明の効果】
本発明のイオン発生装置は、ケース内に、液体の流入口と流出口を有する液体流路と、気体の吸気口と排気口を有する気体流路を備え、液体流路内には、発電用の水車を設けるとともに、気体流路内には、イオン発生ユニットと、送風用ファンと制御基板を設けたことにより、ケース内にコンパクトに、発電用の水車とイオン発生ユニットと送風用ファン等を設けて、全体を小型化して形成することができ、既築現場の水道配管等に良好に後付け施工することができ、専用の電気配線工事も不要となり、施工が極めて容易なものとなる。
【００１１】
また、水車の軸と送風用ファンの軸を同軸として、兼用させたことにより、水車の回転力を軸を介し直接送風用ファンに伝えて、ファンを回転させることができるため、回転力の伝達効率が良くなる効果を有する。
【図面の簡単な説明】
【図１】水道配管にイオン発生装置を取り付けた状態の概略構成図である。
【図２】図１のイオン発生装置内部の拡大構成図である。
【図３】制御基板の側面図である。
【図４】制御基板の正面図である。
【符号の説明】
Ｐ　イオン発生装置
１　水道配管
２　ケース
３　仕切壁
４　液体流路（水路）
４ａ　流入口
４ｂ　流出口
５　気体流路（空気通路）
５ａ　吸気口
５ｂ　排気口
６，７　接続用ナット
８　水車
８ａ　軸
９　シロッコファン
１０　ヨーク
１１　制御基板
１２　マイクロコンピュータ
１３　整流回路
１４　昇圧回路
１５　２次電池
１６　イオン発生ユニット
【図１】
2004014249.tif 000003
【図２】
2004014249.tif 000004
【図３】
2004014249.tif 000005
【図４】
2004014249.tif 000006